(57)【要約】【課題】引き出し可能に巻き取られたシート部を有する電子機器において、引き出されたシート部を押さえるために必要な重量を付加することなく、引き出されたシート部が巻き癖によってカールしてしまうことを防止する。【解決手段】引き出し可能に巻き取られ、収納部１１０に収納されたフィルム太陽電池１３０が、収納部１１０から引き出される充電器１００において、フィルム太陽電池１３０の引き出される側の端部に固定された引き出し部１２０と、収納部１１０と引き出し部１２０とに当接することにより、収納部１１０と引き出し部１２０との間隔を、収納部１１０から引き出されたフィルム太陽電池１３０の長さに固定するつっかえ部材１４０とを有する。【選択図】図１
2009302455.tif 000002
【特許請求の範囲】
【請求項１】
引き出し可能に巻き取られたシート部と、前記巻き取られたシート部を収納する収納部とを有し、前記巻き取られたシート部が前記収納部から引き出される電子機器であって、
前記シート部の引き出される側の端部に固定された引き出し部と、
前記収納部と前記引き出し部とに当接することにより、前記収納部と前記引き出し部との間隔を、前記収納部から引き出された前記シート部の長さに固定する間隔固定部材とを有する電子機器。
【請求項２】
請求項１に記載の電子機器において、
前記間隔固定部材は、前記収納部から引き出されたシート部の少なくとも一部に当接する電子機器。
【発明の詳細な説明】
【技術分野】
【０００１】
本発明は、引き出し可能に巻き取られたシート部を有する電子機器に関し、特に、引き出したシート部が巻き癖によってカールすることを防止する技術に関する。
【背景技術】
【０００２】
近年、石油等の化石燃料の枯渇化や地球温暖化の問題から、光電変換素子を用いた太陽電池の利用が着目されている。太陽電池は、太陽光等の光を吸収して発電するものであるため、ほぼ無尽蔵であるとともに二酸化炭素等の排出物を出すことがないため、今後、さらなる利用が予想される。このような太陽電池は、光を吸収する必要があるため、その面積が広い方が効率的である。そのため、太陽電池を電源として利用できる機器においては、そのための広い面積を確保する必要が生じる。
【０００３】
ところで、近年においては、携帯電話機等、小型の電子機器が様々な分野で利用されているが、このような小型の電子機器においても、上述したような太陽電池を利用できることが好ましい。そこで、太陽電池をシート状に形成し、引き出し可能に巻き取ることにより、小型の電子機器においても太陽電池を利用できるような構造が考えられている。
【０００４】
ところが、シート状となった太陽電池においては、巻き取り状態から引き出された場合に、巻き癖によってカールしてしまい、太陽等の光の照射方向に対向することができず、効率的な発電ができなくなってしまう虞れがある。そこで、シート状の太陽電池の引き出し端部に重量片を取り付けておき、この重量片の重さによって、引き出された太陽電池が巻き癖によってカールしてしまうことを防止する技術が考えられている（例えば、特許文献１参照。）。
【特許文献１】特開２００３−１６８８１３号公報
【発明の開示】
【発明が解決しようとする課題】
【０００５】
しかしながら、上述したようにシート状の太陽電池の引き出し端部に重量片を取り付けておくものにおいては、重量片の重さの分、機器全体の重さが重くなってしまい、特に、太陽電池を具備するシート部が、巻き癖が付きやすい材料からなるものである場合、重量片の重さを重くする必要が生じ、機器全体の重さが重くなってしまうという問題点がある。特に、小型の電子機器においては、機器全体の重さが重くなることは好ましくない。
【０００６】
このような問題点は、シート状の太陽電池を有する機器に限らず、引き出し可能に巻き取られたシート部を有する電子機器においても同様に生じるものであり、引き出されたシート部を押さえるために必要な重量を付加することなく、引き出されたシート部が巻き癖によってカールしてしまうことを防止することが望まれる。
【０００７】
本発明は、上述したような従来の技術が有する問題点に鑑みてなされたものであって、引き出し可能に巻き取られたシート部を有する電子機器において、引き出されたシート部を押さえるために必要な重量を付加することなく、引き出されたシート部が巻き癖によってカールしてしまうことを防止することができる電子機器を提供することを目的とする。
【課題を解決するための手段】
【０００８】
上記目的を達成するために本発明は、
引き出し可能に巻き取られたシート部と、前記巻き取られたシート部を収納する収納部とを有し、前記巻き取られたシート部が前記収納部から引き出される電子機器であって、
前記シート部の引き出される側の端部に固定された引き出し部と、
前記収納部と前記引き出し部とに当接することにより、前記収納部と前記引き出し部との間隔を、前記収納部から引き出された前記シート部の長さに固定する間隔固定部材とを有する。
【０００９】
上記のように構成された本発明においては、巻き取られたシート部が収納部から引き出された場合、シート部の引き出される側の端部に固定された引き出し部と収納部とが間隔固定部材に当接することにより、収納部と引き出し部との間隔が、収納部から引き出されたシート部の長さに固定される。
【００１０】
このように、巻き取られたシート部が収納部から引き出された場合、間隔固定部材によって、収納部と引き出し部との間隔が収納部から引き出されたシート部の長さに固定されるので、収納部から引き出されたシート部が、収納部と引き出し部との間にて撓むことなく張られた状態となり、シート部が巻き癖によってカールしてしまうことが防止されることになる。
【００１１】
また、間隔固定部材が、収納部から引き出されたシート部の少なくとも一部に当接するようにすれば、引き出されたシート部が間隔固定部材によって支えられ、これによっても、引き出されたシート部が巻き癖によってカールしてしまうことが防止される。
【発明の効果】
【００１２】
以上説明したように本発明においては、引き出し可能に巻き取られたシート部と、巻き取られたシート部を収納する収納部とを有し、巻き取られたシート部が収納部から引き出される電子機器であって、シート部の引き出される側の端部に固定された引き出し部と、収納部と引き出し部とに当接することにより、収納部と引き出し部との間隔を、収納部から引き出されたシート部の長さに固定する間隔固定部材とを有する構成としたため、引き出されたシート部を押さえるために必要な重量を付加することなく、引き出されたシート部が巻き癖によってカールしてしまうことを防止することができる。
【００１３】
また、間隔固定部材が、収納部から引き出されたシート部の少なくとも一部に当接するものにおいては、引き出されたシート部が間隔固定部材によって支えられ、これによっても、引き出されたシート部が巻き癖によってカールしてしまうことを防止することができる。
【発明を実施するための最良の形態】
【００１４】
以下に、本発明の実施の形態について図面を参照して説明する。
【００１５】
（第１の実施の形態）
図１は、本発明の電子機器の第１の実施の形態である充電器を示す図であり、（ａ）は外観斜視図、（ｂ）は（ａ）に示した矢印Ａ方向から見た外観図、（ｃ）は（ａ）に示した矢印Ｂ方向から見た外観図、（ｄ）は（ａ）に示した矢印Ｃ方向から見た内部構造を示す図、（ｅ）は（ａ）に示した矢印Ｄ方向から見た内部構造を示す図、（ｆ）は（ｄ）に示したフィルム太陽電池１３０の構造を示す図である。
【００１６】
本形態は図１に示すように、回転ロール１１７に巻き取られたシート部であるフィルム太陽電池１３０と、回転ロール１１７に巻き取られたフィルム太陽電池１３０を収納する収納部１１０と、フィルム太陽電池１３０の回転ロール１１７への巻き取り端とは反対側の端部が固定された引き出し部１２０とから構成されており、引き出し部１２０が収納部１１０から離間することにより、回転ロール１１７に巻き取られたフィルム太陽電池１３０が収納部１１０から引き出される。すなわち、引き出し部１２０は、フィルム太陽電池１３０の引き出される側の端部に固定されていることになる。
【００１７】
収納部１１０は、その側面に電力取出用ジャック１１２と充電中ランプ１１３と電池切れランプ１１４とが設けられている。回転ロール１１７内には、フィルム太陽電池１３０によって充電される二次電池及び回路部（ともに不図示）が内蔵されており、電力取出用ジャック１１２、充電中ランプ１１３及び電池切れランプ１１４はその回路部に接続されている。フィルム太陽電池１３０によって充電される二次電池から電力を取り出す場合、例えば、この充電器１００を用いて携帯電話機等の電子機器を充電する場合は、電子機器の充電用プラグを電力取出用ジャック１１２に差し込む。すると、充電中ランプ１１３が点灯あるいは点滅し、二次電池を用いた充電が行われる。また、二次電池の充電量が少なくなった場合は、回路部の制御によって電池切れランプ１１４が点灯あるいは点滅し、フィルム太陽電池１３０を用いた二次電池への充電が必要である旨を通知する。これら充電中ランプ１１３及び電池切れランプ１１４は、互いに異なる色を有するＬＥＤ等によって構成される。また、収納部１１０の上面には、収納部１１０の内部が視認可能となる窓部１１１が設けられており、この窓部１１１を介して太陽光等の光が収納部１１０内に導かれるようになっている。収納部１１０の下面には、引き出し部１２０とは反対側の端辺に沿ってシリコンゴム等からなるすべり止め部材１１５が取り付けられているとともに、引き出し部１２０側の端辺に沿う領域に角度調整部材１１６が取り付けられている。この角度調整部材１１６は、一辺を軸として回転させることにより収納部１１０の下面から突出可能に構成されたものであって、この角度調整部材１１６を収納部１１０の下面から突出させることによって、フィルム太陽電池１３０の表面が対向する方向を変えることができる。さらに、収納部１１０には、間隔固定部材である２本のつっかえ部材１４０が配置されている。この２本のつっかえ部材１４０は、回転ロール１１７に巻き取られたフィルム太陽電池１３０の上面に接するように、フィルム太陽電池１３０の巻き取り方向両側部近傍に、収納部１１０の外部に引き出し可能に配置されている。また、回転ロール１１７には、ばね力によって、フィルム太陽電池１３０を巻き取る方向に回転する力が常時かかっている。
【００１８】
引き出し部１２０には、その下面に収納部１１０と同様にシリコンゴム等からなるすべり止め部材１１５が取り付けられている。
【００１９】
フィルム太陽電池１３０は、ＰＥＴ等からなるフィルムシート１３１上に、例えば、白金からなる電極間に、色素がついた酸化チタンを含有するヨウ素溶液が配されてなる太陽電池部１３２が複数のセルに分割して形成されて構成されている。なお、太陽電池部１３２を構成する複数のセルの配列方向は、フィルム太陽電池１３０の巻き取り方向とは直交する方向となっている。また、太陽電池部１３２は、フィルムシート１３１の巻き取り方向両側部近傍には形成されていない。これにより、フィルム太陽電池１３０のつっかえ部材１４０に対向する領域には、太陽電池部１３２が形成されていないことになる。このように構成されたフィルム太陽電池１３０は、太陽電池部１３２が形成された面が外側となるように回転ロール１１７に巻き取られている。
【００２０】
以下に、上記のように構成された充電器１００への充電方法について説明する。
【００２１】
図２は、図１に示した充電器１００への充電方法を説明するための図である。
【００２２】
引き出し部１２０が収納部１１０から離間していない状態においては、図２（ａ）に示すように、回転ロール１１７に巻き取られたフィルム太陽電池１３０は、回転ロール１１７に巻き取られた状態で収納部１１０に収納されている。また、つっかえ部材１４０も収納部１１０に収納されている。この際、回転ロール１１７に巻き取られたフィルム太陽電池１３０は、図２（ｂ）に示すようにその一部が窓部１１１を介して外部から視認可能な状態となっている。そのため、太陽光等の光がフィルム太陽電池１３０の一部に窓部１１１を介して照射され、フィルム太陽電池１３０が発電し、二次電池への充電が行われる。なお、フィルム太陽電池１３０の太陽電池部１３２が、フィルムシート１３１の巻き取り方向両側部近傍には形成されていないことにより、収納部１１０に収納されたつっかえ部材１４０が、二次電池への充電の妨げとなってしまうことはない。ところが、フィルム太陽電池１３０において窓部１１１を介して光が照射される面積が狭いため、この状態では、二次電池への充電が効率的に行われず、充電時間が長時間となってしまう。
【００２３】
そこで、引き出し部１２０を収納部１１０から離間させると、フィルム太陽電池１３０の引き出される側の端部が引き出し部１２０に固定されていることにより、図２（ｃ）に示すように、回転ロール１１７に巻き取られたフィルム太陽電池１３０が収納部１１０から引き出されていく。
【００２４】
そして、回転ロール１１７に巻き取られたフィルム太陽電池１３０を全て引き出した後、つっかえ部材１４０を収納部１１０から引き出し、図２（ｄ）に示すように引き出し側の端部を引き出し部１２０に当接させる。
【００２５】
図３は、図１に示したつっかえ部材１４０の構造を説明するための図である。
【００２６】
図１に示したつっかえ部材１４０は図３（ａ）に示すように、筒部１４１内に丸棒１４２が引き出し可能に設けられて構成されている。丸棒１４２の引き出し方向上流側の端部には、ばね力によって丸棒１４２の軸方向に進退可能なボール状の２つのロック用突起１４６が互いに対向するように配置されており、また、筒部１４１の引き出し方向下流側の端部には、ロック用突起１４６が突出した場合にロック用突起１４６に嵌合する２つの穴部１４５が形成されている。
【００２７】
そのため、筒部１４１から丸棒１４２を引き出すと、図３（ｂ）に示すように、丸棒１４２が筒部１４１から全て引き出された状態において、ロック用突起１４６が穴部１４５に嵌合し、つっかえ部材１４０の長さが筒部１４１と丸棒１４２とからなる長さに固定される。丸棒１４２の引き出し方向端部には、丸棒１４２を引き出し部１２０に固定するための引っかけ部１４３が設けられており、この引っかけ部１４３を引き出し部１２０に設けられた穴等に引っかけることによって、つっかえ部材１４０の引き出し方向端部を引き出し部１２０に固定する。
【００２８】
また、つっかえ部材１４０には、筒部１４１及び丸棒１４２の表面上を移動可能に構成されたロック解除リング１４４が嵌め込まれている。このロック解除リング１４４を、穴部１４５に嵌合したロック用突起１４６に当接させることにより、図３（ｃ）に示すように、ロック用突起１４６が穴部１４５から外れ、丸棒１４２を筒部１４１内に収納することができるようになる。この際、フィルム太陽電池１３０は、回転ロール１１７にフィルム太陽電池１３０を巻き取る方向に回転する力が常時かかっているため、丸棒１４２が筒部１４１内に収納されることにより、回転ロール１１７に巻き取られていく。
【００２９】
なお、ロック用突起１４６が穴部１４５に嵌合した状態で筒部１４１と丸棒１４２とからなる長さは、回転ロール１１７に巻き取られたフィルム太陽電池１３０が全て引き出された状態にて、フィルム太陽電池１３０が収納部１１０から引き出された長さと同一となっている。
【００３０】
回転ロール１１７に巻き取られたフィルム太陽電池１３０が全て引き出され、つっかえ部材１４０の長さが筒部１４１と丸棒１４２とからなる長さに固定されることにより、収納部１１０と引き出し部１２０との間隔が固定されると、図２（ｅ）に示すように、フィルム太陽電池１３０の表出面積が広くなり、この状態で太陽光等の光がフィルム太陽電池１３０に照射されると、二次電池への充電が効率的に行われ、短時間で充電することができるようになる。なおこの際、回転ロール１１７には、フィルム太陽電池１３０を巻き取る方向に回転する力が常時かかっているため、フィルム太陽電池１３０が回転ロール１１７に巻き取られる力が働くが、つっかえ部材１４０のロック用突起１４６が穴部１４５に嵌合していることにより、収納部１１０と引き出し部１２０との間隔が固定された状態が維持される。
【００３１】
以下に、つっかえ部材１４０を用いたことによる作用について説明する。
【００３２】
図４は、図１に示した充電器１００においてつっかえ部材１４０を用いたことによる作用を説明するための図である。
【００３３】
収納部１１０から引き出されたフィルム太陽電池１３０は、図４（ａ）に示すように、回転ロール１１７に巻き取られていたことにより、巻き癖がついており、上部側にカールした状態となっている。
【００３４】
図１に示した充電器１００においては、上述したように、フィルム太陽電池１３０を収納部１１０から引き出した際に収納部１１０と引き出し部１２０との間隔を固定するつっかえ部材１４０が収納部１１０に引き出し可能に設けられているため、フィルム太陽電池１３０を収納部１１０から引き出すとともに、つっかえ部材１４０を収納部１１０から引き出し、図３（ｂ）に示したように筒部１４１の穴部１４５に丸棒１４２のロック用突起１４６を嵌合させ、丸棒１４２の先端部をひっかけ部１４３によって引き出し部１２０に当接させると、収納部１１０と引き出し部１２０との間隔が、つっかえ部材１４０の筒部１４１と丸棒１４２とからなる長さｘに固定される。
【００３５】
すると、つっかえ部材１４０の筒部１４１と丸棒１４２とからなる長さｘが、上述したように、フィルム太陽電池１３０が収納部１１０から引き出された長さｘと同一となっているため、収納部１１０と引き出し部１２０との間隔が、つっかえ部材１４０によって、フィルム太陽電池１３０が収納部１１０から引き出された長さｘに固定される。
【００３６】
これにより、図４（ｂ）に示すように、収納部１１０から引き出されたフィルム太陽電池１３０が、収納部１１０と引き出し部１２０との間にて撓むことなく張られた状態となり、収納部１１０から引き出されたフィルム太陽電池１３０が巻き癖によってカールしてしまうことが防止されることになる。この際、収納部１１０から引き出されたフィルム太陽電池１３０を押さえるために必要な重量を付加する必要はない。
【００３７】
また、つっかえ部材１４０が収納部１１０から引き出され、収納部１１０と引き出し部１２０との間にて固定された状態においては、つっかえ部材１４０が、収納部１１０から引き出されたフィルム太陽電池１３０の上面に当接しているため、図４（ｃ）に示すように、これによっても、フィルム太陽電池１３０が上部側にカールすることが防止されることになる。
【００３８】
（第２の実施の形態）
図５は、本発明の電子機器の第２の実施の形態である充電器を示す図であり、（ａ）は外観斜視図、（ｂ）は（ａ）に示した矢印Ａ方向から見た内部構造を示す図、（ｃ）は（ａ）に示した矢印Ｂ方向から見た内部構造を示す図である。
【００３９】
本形態は図５に示すように、第１の実施の形態に示したものに対して、収納部２１０内にて２本のワイヤー２１９が回転ロール２１８に引き出し可能に巻き取られている点と、２本のつっかえ部材２２２が引き出し部２２０に設けられている点とが異なるものである。
【００４０】
回転ロール２１８は、収納部２１０内の、フィルム太陽電池２３０が巻き取られた回転ロール２１７に対して、フィルム太陽電池２３０が引き出される側とは反対側に配置されている。回転ロール２１８に巻き取られた２本のワイヤー２１９は、例えばピアノ線等からなり、一端が回転ロール２１８の幅方向の端部近傍に互いに離れて取り付けられ、他端が引き出し部２２０にそれぞれ固定されている。このワイヤー２１９は、収納部２１０と引き出し部２２０とが離間することにより収納部２１０から引き出され、収納部２１０から引き出された状態において、フィルム太陽電池２３０の上面に当接する。
【００４１】
つっかえ部材２２２は、引き出し部２２０に収納されており、その詳細は後述する。
【００４２】
以下に、上記のように構成された充電器２００への充電方法について説明する。
【００４３】
図６は、図５に示した充電器２００への充電方法を説明するための図である。
【００４４】
引き出し部２２０が収納部２１０から離間していない状態においては、図６（ａ）に示すように、回転ロール２１７に巻き取られたフィルム太陽電池２３０は、回転ロール２１７に巻き取られた状態で収納部２１０に収納されている。また、２本のワイヤー２１９も回転ロール２１８に巻き取られた状態で収納部２１０に収納されている。さらに、２本のつっかえ部材２２２も引き出し部２２０に収納されている。この際、回転ロール２１７に巻き取られたフィルム太陽電池２３０は、図６（ｂ）に示すようにその一部が窓部２１１を介して外部から視認可能な状態となっている。そのため、太陽光等の光がフィルム太陽電池２３０の一部に窓部２１１を介して照射され、フィルム太陽電池２３０が発電し、二次電池への充電が行われる。なお、図１（ｆ）に示したものと同様に、フィルム太陽電池２３０の太陽電池部が巻き取り方向両側部近傍には形成されていないことにより、収納部２１０に収納されたワイヤー２１９が、二次電池への充電の妨げとなってしまうことはない。ところが、フィルム太陽電池２３０において窓部２１１を介して光が照射される面積が狭いため、この状態では、二次電池への充電が効率的に行われず、充電時間が長時間となってしまう。
【００４５】
そこで、引き出し部２２０を収納部２１０から離間させると、フィルム太陽電池２３０の引き出される側の端部が引き出し部２２０に固定されていることにより、図６（ｃ）に示すように、回転ロール２１７に巻き取られたフィルム太陽電池２３０が収納部２１０から引き出されていく。また、回転ロール２１８に巻き取られた２本のワイヤー２１９も、一端が引き出し部２２０に固定されていることにより収納部２１０から引き出されていく。
【００４６】
そして、回転ロール２１７に巻き取られたフィルム太陽電池２３０を全て引き出した後、２本のつっかえ部材２２２を収納部２１０から引き出し、図６（ｄ）に示すように引き出し側の端部を収納部２１０に当接させる。
【００４７】
図７は、図５に示したつっかえ部材２２２の構造を説明するための図であり、上面側から見た図である。
【００４８】
図５に示した２本のつっかえ部材２２２は図７（ａ）に示すように、引き出し部２２０の収納部２１０に対向する面において、左右両端部の近傍に高さ違いとなるように取り付けられ、その取り付けられた端部を中心に回転するように引き出すことができる。
【００４９】
２本のつっかえ部材２２２を引き出し部２２０から引き出し、図７（ｂ）に示すように、引き出し部２２０に取り付けられた端部とは反対側の端部を収納部２１０に当接させることにより、収納部２１０と引き出し部２２０との間隔を、つっかえ部材２２２の長さに固定することができる。なお、つっかえ部材２２２の長さは、回転ロール２１７に巻き取られたフィルム太陽電池２３０が全て引き出された状態にて、フィルム太陽電池２３０が収納部２１０から引き出された長さと同一となっている。
【００５０】
回転ロール２１７に巻き取られたフィルム太陽電池２３０が全て引き出され、つっかえ部材２２２により、収納部２１０と引き出し部２２０との間隔が固定されると、図６（ｅ）に示すように、フィルム太陽電池２３０の表出面積が広くなり、この状態で太陽光等の光がフィルム太陽電池２３０に照射されると、二次電池への充電が効率的に行われ、短時間で充電することができるようになる。なおこの際、回転ロール２１７には、フィルム太陽電池２３０を巻き取る方向に回転する力が常時かかっているため、フィルム太陽電池２３０が回転ロール２１７に巻き取られる力が働くが、つっかえ部材２２２が収納部２１０と引き出し部２２０との間に介在していることにより、収納部２１０と引き出し部２２０との間隔が固定された状態が維持される。また、ワイヤー２１９についても同様である。また、収納部２１０から引き出されたフィルム太陽電池２３０の上面には、収納部２１０から引き出されたワイヤー２１９が当接しているが、上述したように、ワイヤー２１９は、回転ロール２１８の幅方向の端部近傍に互いに離れて取り付けられ、かつ、フィルム太陽電池２３０の太陽電池部が巻き取り方向両側部近傍には形成されていないため、収納部２１０に収納されたワイヤー２１９が、二次電池への充電の妨げとなってしまうことはない。
【００５１】
以下に、つっかえ部材２２２を用いたことによる作用について説明する。
【００５２】
図８は、図５に示した充電器２００においてつっかえ部材２２２を用いたことによる作用を説明するための図である。
【００５３】
収納部２１０から引き出されたフィルム太陽電池２３０は、図８（ａ）に示すように、回転ロール２１７に巻き取られていたことにより、巻き癖がついており、上部側にカールした状態となっている。
【００５４】
図５に示した充電器２００においては、上述したように、フィルム太陽電池２３０を収納部２１０から引き出した際に収納部２１０と引き出し部２２０との間隔を固定する２本のつっかえ部材２２２が引き出し部２２０に引き出し可能に設けられているため、フィルム太陽電池２３０を収納部２１０から引き出すとともに、２本のつっかえ部材２２２を引き出し部２２０から引き出し、その端部を収納部２１０に当接させると、収納部２１０と引き出し部２２０との間隔が、つっかえ部材２２２の長さｘに固定される。
【００５５】
すると、つっかえ部材２２２の長さｘが、上述したように、フィルム太陽電池２３０が収納部２１０から引き出された長さｘと同一となっているため、収納部２１０と引き出し部２２０との間隔が、つっかえ部材２２２によって、フィルム太陽電池２３０が収納部２１０から引き出された長さｘに固定される。
【００５６】
これにより、図８（ｂ）に示すように、収納部２１０から引き出されたフィルム太陽電池２３０が、収納部２１０と引き出し部２２０との間にて撓むことなく張られた状態となり、収納部２１０から引き出されたフィルム太陽電池２３０が巻き癖によってカールしてしまうことが防止されることになる。この際、収納部２１０から引き出されたフィルム太陽電池２３０を押さえるために必要な重量を付加する必要はない。
【００５７】
また、フィルム太陽電池２３０が収納部２１０から引き出された状態においては、同じく収納部２１０から引き出されたワイヤー２１９が、収納部２１０から引き出されたフィルム太陽電池２３０の上面に当接しているため、図８（ｃ）に示すように、これによっても、フィルム太陽電池２３０が上部側にカールすることが防止されることになる。
【００５８】
なお、上述した２つの実施の形態の収納部１１０，２１０に引き出し可能に収納されるフィルム太陽電池としては、上述したような構成のものに限らず、フィルムシート上にアモルファスシリコンを形成させたもの等、可撓性を有するものであれば用いることができる。
【００５９】
また、収納部１１０，２１０と引き出し部１２０，２２０との間隔を固定するつっかえ部材の構成についても、上述した２つの実施の形態に示したものに限らず、収納部１１０，２１０と引き出し部１２０，２２０とに当接することにより、収納部１１０，２１０と引き出し部１２０，２２０との間隔を、収納部１１０，２１０から引き出されたフィルム太陽電池の長さに固定することができるものであればよい。
【００６０】
また、上述した２つの実施の形態においては、収納部１１０，２１０から引き出し可能に巻き取られたシート部としてフィルム太陽電池１３０，２３０を用いた充電器１００，２００を例として挙げて説明したが、本発明の電子機器はこのような充電器１００，２００に限らない。例えば、互いに対向する２つの電極間に、この２つの電極に与えられた電荷によりその状態が変化する物質を介在させ、２つの電極間にて電位差を生じさせることにより物質の状態を変化させ、その物質の変化を用いて情報を表示する電子ペーパーをシート部として収納部に引き出し可能に収納し、電子ペーパーに表示された情報を閲覧する場合に電子ペーパーを収納部から引き出す構成としたもの等、引き出し可能に巻き取られたシート部が収納部に収納され、シート部が収納部の外部に引き出されるものであればよい。
【図面の簡単な説明】
【００６１】
【図１】本発明の電子機器の第１の実施の形態である充電器を示す図であり、（ａ）は外観斜視図、（ｂ）は（ａ）に示した矢印Ａ方向から見た外観図、（ｃ）は（ａ）に示した矢印Ｂ方向から見た外観図、（ｄ）は（ａ）に示した矢印Ｃ方向から見た内部構造を示す図、（ｅ）は（ａ）に示した矢印Ｄ方向から見た内部構造を示す図、（ｆ）は（ｄ）に示したフィルム太陽電池の構造を示す図である。
【図２】図１に示した充電器への充電方法を説明するための図である。
【図３】図１に示したつっかえ部材の構造を説明するための図である。
【図４】図１に示した充電器においてつっかえ部材を用いたことによる作用を説明するための図である。
【図５】本発明の電子機器の第２の実施の形態である充電器を示す図であり、（ａ）は外観斜視図、（ｂ）は（ａ）に示した矢印Ａ方向から見た内部構造を示す図、（ｃ）は（ａ）に示した矢印Ｂ方向から見た内部構造を示す図である。
【図６】図５に示した充電器への充電方法を説明するための図である。
【図７】図５に示したつっかえ部材の構造を説明するための図である。
【図８】図５に示した充電器においてつっかえ部材を用いたことによる作用を説明するための図である。
【符号の説明】
【００６２】
１００，２００    充電器
１１０，２１０    収納部
１１１，２１１    窓部
１１２，２１２    電力取出用ジャック
１１３    充電中ランプ
１１４    電池切れランプ
１１５，１２１    すべり止め部材
１１６    角度調整部材
１１７，２１７，２１８    回転ロール
１２０，２２０    引き出し部
１３０，２３０    フィルム太陽電池
１３１    フィルムシート
１３２    太陽電池部
１４０，２２２    つっかえ部材
１４１    筒部
１４２    丸棒
１４３    引っかけ部
１４４    ロック解除リング
１４５    穴部
１４６    ロック用突起
２１９    ワイヤー
【図１】
2009302455.tif 000003
【図２】
2009302455.tif 000004
【図３】
2009302455.tif 000005
【図４】
2009302455.tif 000006
【図５】
2009302455.tif 000007
【図６】
2009302455.tif 000008
【図７】
2009302455.tif 000009
【図８】
2009302455.tif 000010